(57)【要約】【課題】  波長350〜500ｎｍの近紫外から可視領域の光により効率よく励起させる。【解決手段】  本発明は、下記一般式で示されることを特徴とする赤色発光蛍光体である。(x-a)MgO・(a/2)Me2O3・yMgF2・(1-b)GeO2・(b/2)Mt2O3：zMn4+(ただし、上記一般式中のｘ、ｙ、ｚ、ａ、ｂについて、2.0≦x≦4.0、0≦y≦2.0、0＜z＜0.1、0≦a＜1.0、0≦b＜1.0、ａ＋ｂ≠０であり、上記一般式中のMeは、Li、Na、K、Sc、Y、La、Ce、Pr、Nd、Pm、Sm、Eu、Gd、Tb、Dy、Ho、Er、Tm、Yb、Lu、V、Nb、Ta、Cr、Mo、Wから選択された少なくとも１種であり、上記一般式中のMtは、B、Al、Ga、Inから選択された少なくとも１種である。）【選択図】  図１
2015113431.tif 000002
【特許請求の範囲】
【請求項１】
下記一般式で示されることを特徴とする赤色発光蛍光体。
(x-a)MgO・(a/2)Me2O3・yMgF2・(1-b)GeO2・(b/2)Mt2O3：zMn4+
(ただし、前記一般式中のｘ、ｙ、ｚ、ａ、ｂについて、2.0≦x≦4.0、0≦y≦2.0、0＜z＜0.1、0≦a＜1.0、0≦b＜1.0、ａ＋ｂ≠０であり、前記一般式中のMeは、Li、Na、K、Sc、Y、La、Ce、Pr、Nd、Pm、Sm、Eu、Gd、Tb、Dy、Ho、Er、Tm、Yb、Lu、V、Nb、Ta、Cr、Mo、Wから選択された少なくとも１種であり、前記一般式中のMtは、B、Al、Ga、Inから選択された少なくとも１種である。）
【請求項２】
下記一般式で示されることを特徴とする赤色発光蛍光体。
(x-a)MgO・(a/2)Me2O3・yMgF2・cCaF2・(1-b)GeO2・(b/2)Mt2O3：zMn4+
(ただし、前記一般式中のｘ、ｙ、ｚ、ａ、ｂ、ｃについて、2.0≦x≦4.0、0≦y≦2.0、0＜z＜0.1、0≦a＜1.0、0≦b＜1.0、0＜c≦2.0、ａ＋ｂ≠０であり、前記一般式中のMeは、Li、Na、K、Sc、Y、La、Ce、Pr、Nd、Pm、Sm、Eu、Gd、Tb、Dy、Ho、Er、Tm、Yb、Lu、V、Nb、Ta、Cr、Mo、Wから選択された少なくとも１種であり、前記一般式中のMtは、B、Al、Ga、Inから選択された少なくとも１種である。）
【請求項３】
前記Meは、K、Sc、Y、La、Lu、Ta、Moから選択された少なくとも１種、または、前記Mtは、B、Al、Gaから選択された少なくとも１種である請求項１または２に記載の赤色発光蛍光体。
【請求項４】
前記Meは、Scであり、0≦ａ≦0.3である請求項３に記載の赤色発光蛍光体。
【請求項５】
前記Mtは、Gaであり、0≦ｂ≦0.3である請求項３または４に記載の赤色発光蛍光体。
【発明の詳細な説明】
【技術分野】
【０００１】
本発明は、近紫外から可視領域の光励起により、高効率な赤色発光を示す蛍光体に関するものである。
【背景技術】
【０００２】
発光ダイオードは、窒化ガリウム（GaN）のような金属化合物から生産される半導体発光素子である。この半導体発光素子と蛍光体とを組み合わせて白色や電球色、橙色等に発光する発光装置が種々開発されている。これらの白色等に発光する発光装置は、光の混色の原理によって得られる。白色光を放出する方式としては、紫外線を発光する発光素子と、赤色（R）、緑色（G）、青色（B）のそれぞれに発光する３種の蛍光体とを用いる方式と、青色を発光する発光素子及び黄色等を発光する蛍光体を用いる方式とがよく知られている。青色を発光する発光素子と黄色等を発光する蛍光体とを用いる方式の発光装置は、蛍光ランプ等の照明、車載照明、ディスプレイ、液晶用バックライト等の幅広い分野で求められている。このうち、ディスプレイ用途に用いる蛍光体としては、色度座標上の広範囲の色を再現するために、発光効率と共に色純度が良いことも求められている。特にディスプレイ用途に用いる蛍光体は、カラーフィルターとの組合せの相性が求められ、発光ピークの半値幅の狭い蛍光体が求められている。
【０００３】
青色域に励起帯を有し、発光ピークの半値幅の狭い赤色発光蛍光体として、例えば、K2SiF6:Mn4+、K2TiF6:Mn4+、K2SnF6:Mn4+、Na2TiF6:Mn4+、Na2ZrF6:Mn4+、K2Si0.5Ge0.5F6:Mn4+等の組成を有するフッ化物蛍光体が知られている（例えば、特許文献１参照）。
【０００４】
このような赤色蛍光体とともに、あるいは単独で、同じ目的で用いられる赤色蛍光体として、例えば、3.5MgO・0.5MgF2・GeO2：Mn4+の組成式で表される蛍光体（例えば、非特許文献１参照、以下「MGF蛍光体」と呼ぶことがある。）が候補の一つとして考えられる。
【０００５】
このMGF蛍光体は、水銀ランプ用の赤色蛍光体として以前からよく知られているが、波長350〜500ｎｍの近紫外から可視光を発光領域とする発光ダイオードを励起光源としても発光する。また、このMGF蛍光体は、常圧大気下1200℃付近の焼成で作製できるので、比較的製造し易いという利点がある。
【０００６】
さらに近年、MGF蛍光体の組成中のMgF2を他のフッ化物であるAF2（Aは、Ca、Sr、BaまたはZnから選択された少なくとも１種。）に置換した赤色蛍光体が提案されている（例えば、特許文献２参照）。この蛍光体は、発光効率が従来のMGF蛍光体に比べ最大で150％の発光効率になることが知られている。
【先行技術文献】
【特許文献】
【０００７】
【特許文献１】特表２００９−５２８４２９号公報
【特許文献２】特開２００８−２０２０４４号公報
【非特許文献】
【０００８】
【非特許文献１】『蛍光体ハンドブック』蛍光体同学会編、オーム社刊（１９８７）
【発明の概要】
【発明が解決しようとする課題】
【０００９】
しかしながら、従来のMGF蛍光体は、主に254ｎｍ付近の波長の光で効率よく励起するとされている。そのため、より長い波長350〜500ｎｍの近紫外から可視光を発光領域とする発光ダイオードを励起光源としたときにも効率よく発光することが求められる。
【００１０】
そこで、本発明は、MGF蛍光体の基本的な特性はそのままに、波長350〜500ｎｍの近紫外から可視領域の光で励起しても高効率に発光する赤色蛍光体を提供することを目的とする。
【課題を解決するための手段】
【００１１】
以上の目的を達成するために本発明は、下記一般式で示されることを特徴とする赤色発光蛍光体である。
(x-a)MgO・(a/2)Me2O3・yMgF2・(1-b)GeO2・(b/2)Mt2O3：zMn4+
(ただし、上記一般式中のｘ、ｙ、ｚ、ａ、ｂについて、2.0≦x≦4.0、0≦y≦2.0、0＜z＜0.1、0≦a＜1.0、0≦b＜1.0、ａ＋ｂ≠０であり、上記一般式中のMeは、Li、Na、K、Sc、Y、La、Ce、Pr、Nd、Pm、Sm、Eu、Gd、Tb、Dy、Ho、Er、Tm、Yb、Lu、V、Nb、Ta、Cr、Mo、Wから選択された少なくとも１種であり、上記一般式中のMtは、B、Al、Ga、Inから選択された少なくとも１種である。）
また、本発明は、下記一般式で示されることを特徴とする赤色発光蛍光体である。
(x-a)MgO・(a/2)Me2O3・yMgF2・cCaF2・(1-b)GeO2・(b/2)Mt2O3：zMn4+
(ただし、上記一般式中のｘ、ｙ、ｚ、ａ、ｂ、ｃについて、2.0≦x≦4.0、0≦y≦2.0、0＜z＜0.1、0≦a＜1.0、0≦b＜1.0、0＜c≦2.0、ａ＋ｂ≠０であり、上記一般式中のMeは、Li、Na、K、Sc、Y、La、Ce、Pr、Nd、Pm、Sm、Eu、Gd、Tb、Dy、Ho、Er、Tm、Yb、Lu、V、Nb、Ta、Cr、Mo、Wから選択された少なくとも１種であり、上記一般式中のMtは、B、Al、Ga、Inから選択された少なくとも１種である。）
【発明の効果】
【００１２】
本発明にかかる赤色発光蛍光体は、波長350〜500ｎｍの近紫外から可視領域の光により励起させて、従来よりも効率よく発光させることができる。
【図面の簡単な説明】
【００１３】
【図１】図１は、本発明にかかる蛍光体と比較例の発光スペクトルを示す図である。
【図２】図２は、本発明にかかる蛍光体の相対発光強度を示す図である。
【図３】図３は、本発明にかかる蛍光体と比較例の励起スペクトルを示す図である。
【発明を実施するための形態】
【００１４】
本発明を実施するための最良の形態を、以下に図面を参照しながら説明する。ただし、以下に示す形態は、本発明の技術思想を具体化するための赤色発光蛍光体を例示するものであって、本発明は、赤色発光蛍光体を以下に限定するものではない。
【００１５】
本発明者は、MGF蛍光体について波長350ｎｍ〜500ｎｍの近紫外から可視領域の光で励起して高効率に発光させるため、検討した結果、MGF蛍光体の構成元素の組成比を変えることや、また他の元素を置換することにより目的を達成することができることを見出し本発明に至った。
【００１６】
上述した特許文献２に記載の発明は、3.5MgO・0.5MgF2・GeO2：Mn4+の組成式で表されるMGF蛍光体組成中のMgF2を、他のフッ化物であるAF2（Aは、Ca、Sr、BaまたはZnから選択された少なくとも１種である。）に置換した蛍光体である。これにより、従来のMGF蛍光体と比較して発光効率が最大で150％向上するとされている。
【００１７】
一方、本形態にかかる蛍光体は、MGF蛍光体組成中MgOのMg元素の一部をLi、Na、K、Sc、Y、La、Ce、Pr、Nd、Pm、Sm、Eu、Gd、Tb、Dy、Ho、Er、Tm、Yb、Lu、V、Nb、Ta、Cr、Mo、Wなどの他の元素に置換したり、あるいはGeO2中のGe元素の一部をB、Al、Ga、Inなどの他の元素に置換したりすることにより発光効率が向上することが本発明者らにより見出された。さらにMgとGeの両元素を他の元素に置換することにより、深赤色と呼ばれる600〜670ｎｍの波長領域の光の発光強度が従来のMGF蛍光体の200％を超えることが見出された。
【００１８】
以下、本形態にかかるMGF蛍光体について詳細に説明する。本形態にかかる第一の蛍光体は、下記一般式（Ｉ）で示される赤色発光蛍光体である。
(x-a)MgO・(a/2)Me2O3・yMgF2・(1-b)GeO2・(b/2)Mt2O3：zMn4+  （Ｉ）
ただし、上記一般式（Ｉ）中のｘ、ｙ、ｚ、ａ、ｂについて、2.0≦x≦4.0、0≦y≦2.0、0＜z＜0.1、0≦a＜1.0、0≦b＜1.0、ａ＋ｂ≠０（すなわち、ａとｂが同時に０になることはない。）である。また、上記一般式（Ｉ）中のMeは、Li、Na、K、Sc、Y、La、Ce、Pr、Nd、Pm、Sm、Eu、Gd、Tb、Dy、Ho、Er、Tm、Yb、Lu、V、Nb、Ta、Cr、Mo、Wから選択された少なくとも１種である。また、上記一般式（Ｉ）中のMtは、B、Al、Ga、Inから選択された少なくとも１種である。
【００１９】
上記一般式（Ｉ）中のｘ、ｙ、ｚ、ａ、ｂについて、好ましい範囲は、2.5＜x≦3.75、0.25≦y＜1.5、0＜z＜0.05、0≦a＜0.5、0≦b＜0.5であり、より好ましい範囲は、3.0≦x≦3.5、0.5≦y≦1.0、0.005≦z≦0.03、0.05≦a≦0.3、0.05≦b≦0.3である。
【００２０】
また、本形態にかかる第二の蛍光体は、下記一般式（ＩＩ）で示される赤色発光蛍光体である。
(x-a)MgO・(a/2)Me2O3・yMgF2・cCaF2・(1-b)GeO2・(b/2)Mt2O3：zMn4+  （ＩＩ）
ただし、上記一般式（ＩＩ）中のｘ、ｙ、ｚ、ａ、ｂ、ｃについて、2.0≦x≦4.0、0≦y≦2.0、0＜z＜0.1、0≦a＜1.0、0≦b＜1.0、0＜c≦2.0、ａ＋ｂ≠０（すなわち、ａとｂが同時に０になることはない。）である。また、上記一般式（ＩＩ）中のMeは、Li、Na、K、Sc、Y、La、Ce、Pr、Nd、Pm、Sm、Eu、Gd、Tb、Dy、Ho、Er、Tm、Yb、Lu、V、Nb、Ta、Cr、Mo、Wから選択された少なくとも１種である。また、上記一般式（ＩＩ）中のMtは、B、Al、Ga、Inから選択された少なくとも１種である。
【００２１】
上記一般式（Ｉ）中のｘ、ｙ、ｚ、ａ、ｂ、ｃについて、好ましい範囲は、2.5＜x≦3.75、0.25≦y＜1.5、0＜z＜0.05、0≦a＜0.5、0≦b＜0.5、0＜c＜1.0であり、より好ましい範囲は、3.0≦x≦3.5、0.5≦y≦1.0、0.005≦z≦0.03、0.05≦a≦0.3、0.05≦b≦0.3、0.05≦c≦0.75である。
【００２２】
図1は、比較例として示す従来の3.5MgO・0.5MgF2・GeO2:0.15Mn4+蛍光体と、参考例として示すCaAlSiN3:Eu2＋蛍光体と、本形態の実施例として示す3.4MgO・0.1Sc2O3・0.5MgF2・0.885GeO2・0.1Ga2O3：0.015Mn4+蛍光体(後述する実施例13)の発光スペクトルを対比して示す図である。なお、点線が参考例を、細実線が比較例を、太実線が実施例を示す。
【００２３】
また、図3は、比較例として示す従来の3.5MgO・0.5MgF2・GeO2:0.15Mn4+蛍光体と、後述する実施例にかかる蛍光体の励起スペクトルを示す図である。なお、細実線が比較例と示し、その他の線が後述する各実施例を示す。
【００２４】
本形態の第一、第二の赤色発光蛍光体は、図１および図３に示されるように、波長350〜500ｎｍの近紫外から可視領域の光により励起されて、深赤色と呼ばれる600〜670ｎｍの波長領域の光を発光する。また、本形態の第一、第二の赤色発光蛍光体は、図１に示されるように、参考例として示すCaAlSiN3:Eu2＋蛍光体よりも発光スペクトルの半値幅が狭い光を発光する。
【００２５】
上述したように、従来のMGF蛍光体は、254nm付近の水銀ランプの輝線で効率よく発光するものであり、より長波長である近紫外光や青色光ではあまり効率よく発光しないものであった。
【００２６】
しかしながら、本形態の蛍光体は、図３に示されるように、MGF蛍光体の組成中のMgOやMgF2の組成比を変化させたり、MgやGeの一部を他の元素で置換したりすることにより、254nm付近での励起による発光強度が下がる一方で、近紫外光や青色光励起での発光強度が大きくなる。
【００２７】
上記一般式（Ｉ）で示される第一の蛍光体は、3.5MgO・0.5MgF2・GeO2：Mn4+の組成式で表されるMGF蛍光体について、その構成元素の組成比を変えたり、MgやGeの成分元素の一部を他の元素で置換したりした蛍光体である。
【００２８】
また、上記一般式（ＩＩ）で示される第二の蛍光体は、CaF2をその組成中に含むMGF蛍光体について、その構成元素の組成比を変えたり、MgやGeの成分元素の一部を他の元素で置換したりした蛍光体である。
【００２９】
これら第一、第二の蛍光体について、Mgを置換する元素は、Li、Na、K、Sc、Y、La、Ce、Pr、Nd、Pm、Sm、Eu、Gd、Tb、Dy、Ho、Er、Tm、Yb、Lu、V、Nb、Ta、Cr、Mo、Wから選択された少なくとも１種である。これらのうち、Mgを置換する元素として、K、Sc、Y、La、Lu、Ta、Moが好ましく、Scがより好ましい。
【００３０】
また、第一、第二の蛍光体について、Geを置換する元素は、B、Al、Ga、Inから選択された少なくとも１種である。これらのうち、Geを置換する元素として、B、Al、Gaが好ましく、Gaがより好ましい。
【００３１】
図２は、Sc単独で置換した実施例（後述する実施例1〜5）と、Ga単独で置換した実施例（後述する実施例6〜10）と、GaおよびScで置換（共置換）した実施例（後述する実施例11〜15）について、それぞれの各置換量（ｍｏｌ）における440nm励起での相対発光強度を示す図である。なお、図２中、細点線がSc単独で置換した実施例、太点線がGa単独で置換した実施例、実線がGaおよびScで置換（共置換）した実施例を示す。
【００３２】
図２に示されるように、Sc、Gaそれぞれ単独で置換するよりも、両方の元素で同時に置換（共置換）するほうが、より発光効率を向上させることができることが分かる。これは、価数の異なる元素を同時に置換することで電荷補償の効果が得られ、濃度消光が抑制されるためであると考えられる。
【００３３】
以下、本発明に係る実施例について詳述する。なお、本発明は以下に示す実施例のみに限定されないことは言うまでもない。
【実施例】
【００３４】
＜実施例１〜１５＞
まず、原料としてMgO、MgF2、GeO2、MnCO3を正確に秤量する。さらに、MgOまたはGeO2を置換する元素の原料として、Sc2O3またはGa2O3を正確に秤量した後、これらの原料を羽根撹拌式混合機で混合した。この混合した原料を、大気中において1000〜1300℃で6時間焼成することにより、組成式が以下の表１に示される実施例1〜15の蛍光体を得た。
＜比較例＞
また、比較例の蛍光体として、上述した非特許文献1に記載された水銀ランプ用の蛍光体であり、組成式が3.5MgO・0.5MgF2・GeO2:0.015Mn4+で表される蛍光体を、上記実施例と同じ原料および焼成条件で作製した。
【００３５】
【表１】
2015113431.tif 000003
【００３６】
＜実施例１〜１５の粉体輝度測定結果＞
上記実施例１〜１５について、その粉体輝度を分光蛍光光度計：F-4500（株式会社日立ハイテクノロジーズ製）で測定した。その結果を以下の表２に示す。
【００３７】
【表２】
2015113431.tif 000004
【００３８】
表２右欄の「相対発光強度」は、440nmの青色光で励起したときの各試料の相対発光強度を示す。すなわち、各実施例における相対発光強度は、波長が440nmの光で励起したとき、3.5MgO・0.5MgF2・GeO2:0.015Mn4+蛍光体（比較例）の発光強度を100%として、各実施例の相対的な発光強度（％）である（後述の各実施例における「相対発光強度」について同じ。）。
【００３９】
実施例１〜５では、MGF蛍光体の成分元素のうち、MgOのMgの一部をScで置換している。これにより、表２に示されるように、Scで置換していない比較例に対して発光強度が大きくなっていることが分かる。しかし、Scの置換量が過剰になると、発光強度が小さくなることが分かる。したがって、Scの置換量のより好ましい範囲は、モル比で、0.05以上0.3以下である。
【００４０】
実施例６〜１０では、MGF蛍光体の成分元素のうち、GeO2のGeの一部をGaで置換している。これにより、表２に示されるように、Gaで置換していない比較例に対して発光強度が大きくなっていることが分かる。しかし、Gaの置換量が過剰になると、発光強度が小さくなることが分かる。したがって、Gaの置換量のより好ましい範囲は、モル比で、0.05以上0.3以下である。
【００４１】
実施例１１〜１５では、MGF蛍光体の成分元素のうち、MgOのMgの一部をScで置換するとともに、GeO2のGeの一部をGaで置換している。これにより、表２に示されるように、ScまたはGaで置換していない比較例に対して発光強度が大きくなっていることが分かる。また、ScまたはGa単独で置換している実施例に対して発光強度が大きくなっていることが分かる。その一方、ScおよびGaの置換量が過剰になると、発光強度が小さくなることが分かる。
【００４２】
図3は、比較例の蛍光体（細実線）と、実施例３の蛍光体（細点線）と、実施例8の蛍光体（太点線）と、実施例13の蛍光体（太実線）についての励起スペクトルを示す図である。
【００４３】
図3に示されるように、実施例3においてSc単独で置換したり、実施例8においてGa単独で置換したりすることにより、発光ダイオードを励起光源とした場合の波長350〜500nm（近紫外から可視領域）の励起強度が大きくなっていることが分かる。そのため、各実施例で測定した波長440nm励起における発光強度も大きくなる。さらに、実施例13は、ScおよびGaで共置換した実施例であり、さらに発光強度が大きくなる。
＜実施例１６〜２１＞
まず、原料としてMgO、MgF2、GeO2、MnCO3を正確に秤量する。さらに、MgOまたはGeO2を置換する元素の原料としてSc2O3またはGa2O3を正確に秤量した後、これらの原料を羽根撹拌式混合機で混合した。この混合した原料を、大気中において1000〜1300℃で6時間焼成して、組成式が以下の表３に示される実施例16〜21の蛍光体を得た。
＜比較例＞
また、比較例の蛍光体として、上述した非特許文献1に記載された水銀ランプ用の蛍光体であり、組成式が3.5MgO・0.5MgF2・GeO2:0.015Mn4+で表される蛍光体を、上記実施例と同じ原料および焼成条件で作製した。
【００４４】
【表３】
2015113431.tif 000005
【００４５】
＜実施例１６〜２１の粉体輝度測定結果＞
上記実施例１６〜２１について、その粉体輝度を分光蛍光光度計：F-4500（株式会社 日立ハイテクノロジーズ製）で測定した。その結果を以下の表４に示す。
【００４６】
【表４】
2015113431.tif 000006
【００４７】
実施例１６〜２１では、MGF蛍光体の成分元素のうち、MgOのMgの一部をScで置換するとともに、MGF蛍光体の成分元素のうち、GeO2のGeの一部をGaで置換している。各実施例の置換量は同じである。
【００４８】
表４に示されるように、実施例16は、その組成にMgF2を含んでおらず、発光強度が小さくなっている。実施例１７〜２１は、MGF蛍光体の組成中のMgF2の含有量が異なる。MgF2の含有量が大きくなると、発光強度が大きくなるが、MgF2の含有量が大きくなりすぎると、発光強度は小さくなることが分かる。したがって、MgF2の含有量の好ましい範囲は、モル比で、0.25以上1.5未満である。
＜実施例２２〜２５＞
まず、原料としてMgO、GeO2、MnCO3を正確に秤量する。さらに、MgOまたはGeO2を置換する元素の原料としてSc2O3またはGa2O3を正確に秤量した後、これらの原料を羽根撹拌式混合機で混合した。この混合した原料を、大気中において1000〜1300℃で6時間焼成して、組成式が以下の表５に示される実施例２２〜２５の蛍光体を得た。
＜比較例＞
また、比較例の蛍光体として、上述した非特許文献1に記載された水銀ランプ用の蛍光体であり、組成式が3.5MgO・0.5MgF2・GeO2:0.015Mn4+で表される蛍光体を、上記実施例と同じ原料および焼成条件で作製した。
【００４９】
【表５】
2015113431.tif 000007
【００５０】
＜実施例２２〜２５の粉体輝度測定結果＞
上記実施例２２〜２５について、その粉体輝度を分光蛍光光度計：F-4500（株式会社 日立ハイテクノロジーズ製）で測定した。その結果を以下の表６に示す。
【００５１】
【表６】
2015113431.tif 000008
【００５２】
本実施例２２〜２５の蛍光体は、他の組成比は一定にしてMnの含有量を変化させたものである。表６に示されるように、Mnの含有量を大きくしていくと発光強度が大きくなるが、Mnの含有量がモル比で0.05mol以上になると、濃度消光と考えられる影響により、発光強度が小さくなることが分かる。したがって、Mn含有量のより好ましい範囲は、モル比で、0.005以上0.03以下である。
＜実施例２６〜３７＞
まず、原料としてMgO、MgF2、GeO2、MnCO3を正確に秤量した。さらに、MgOを置換する元素の原料としてSc2O3、K2CO3、Y2O3、La2O3、Lu2O3、Ta2O5またはMoO3を、GeO2を置換する元素の原料としてGa2O3、H3BO3またはAl2O3を正確に秤量した後、これらの原料を羽根撹拌式混合機で混合した。この混合した原料を、大気中において1000〜1300℃で6時間焼成して、組成式が以下の表７に示される実施例２６〜３７の蛍光体を得た。
＜比較例＞
また、比較例の蛍光体として、上述した非特許文献1に記載された水銀ランプ用の蛍光体であり、組成式が3.5MgO・0.5MgF2・GeO2:0.015Mn4+で表される蛍光体を、上記実施例と同じ原料および焼成条件で作製した。
【００５３】
【表７】
2015113431.tif 000009
【００５４】
＜実施例２６〜３７の粉体輝度測定結果＞
上記実施例２６〜３７について、その粉体輝度を分光蛍光光度計：F-4500（株式会社 日立ハイテクノロジーズ製）で測定した。その結果を以下の表８に示す。
【００５５】
【表８】
2015113431.tif 000010
【００５６】
表８に示されるように、MgOのMgをScで置換するか、もしくはGeO2のGeをGaで置換することにより、発光強度が大きくなっており、さらにScおよびGaで同時に置換することにより、さらに発光強度が大きくなることが分かる。
【００５７】
さらに、表８の実施例３０〜３７に示されるように、MgOのMgをK,Y,La,Lu,TaまたはMoで置換したり、GeO2のGeをAlまたはBで置換したりしても、ScまたはGaで置換する実施例と同様に発光強度が大きくなることが分かる。
＜実施例３８〜４０＞
まず、原料としてMgO、MgF2、CaF2、GeO2、MnCO3を正確に秤量した。さらに、MgOまたはGeO2を置換する元素の原料としてSc2O3またはGa2O3を正確に秤量した後、これらの原料を羽根撹拌式混合機で混合した。この混合した原料を、大気中において1000〜1300℃で6時間焼成して、組成式が以下の表９に示される実施例３８〜４０の蛍光体を得た。
＜比較例＞
また、比較例の蛍光体として、上述した非特許文献1に記載された水銀ランプ用の蛍光体であり、組成式が3.5MgO・0.5MgF2・GeO2:0.015Mn4+で表される蛍光体を、上記実施例と同じ原料および焼成条件で作製した。
【００５８】
【表９】
2015113431.tif 000011
【００５９】
＜実施例３８〜４０の粉体輝度測定結果＞
上記実施例３８〜４０について、その粉体輝度を分光蛍光光度計：F-4500（株式会社 日立ハイテクノロジーズ製）で測定した。その結果を以下の表１０に示す。
【００６０】
【表１０】
2015113431.tif 000012
【００６１】
表１０に示されるように、本実施例３８〜４０の蛍光体は、その組成としてMgF2とともにCaF2を含むことにより、発光強度が最大で比較例の２倍近く大きくなることが分かる。したがって、CaF2含有量のより好ましい範囲は、モル比で、0.05以上0.75以下である。
【産業上の利用可能性】
【００６２】
本発明は、近紫外から可視領域の光励起により効率よく発光する赤色発光蛍光体を提供することができる。さらに、本発明は、紫外光で励起するランプや近紫外や可視光を放射する発光ダイオードと組み合わせて、高効率な深赤色発光の発光装置、または他の蛍光体などと組み合わせて白色系の混色光を含むさまざまな色の発光装置や表示装置として利用することができる。
【図１】
2015113431.tif 000013
【図２】
2015113431.tif 000014
【図３】
2015113431.tif 000015